【手続補正書】
【提出日】平成18年8月14日(2006.8.14)
【手続補正１】
【補正対象書類名】明細書
【補正対象項目名】特許請求の範囲
【補正方法】変更
【補正の内容】
【特許請求の範囲】
【請求項１】ポリアミドアミン−エピクロロヒドリン樹脂、ポリアミン−エピクロロヒドリン樹脂、ポリビニルアルコール、ポリビニルアミン、ポリエチレンイミン、ポリアクリルアミド、ポリメタクリルアミド、ポリ（アクリル酸）、ポリ（メタクルル酸）、ポリ（ヒドロキシエチルアクリレート）、ポリ（ヒドロキシエチルメタクリレート、ポリ（Ｎ−ビニルピロリジノン）、ポリ（エチレンオキシド）、ヒドロキシエチルセルロース、ヒドロキシプロピルセルロース、グアーガム、デンプン、寒天、キトサン、アルギン酸、カルボキシメチルセルロース、高度に分枝状のポリアミドアミンおよびエピクロロヒドリンとのそれらの反応生成物、並びにシリル結合ポリアミドアミンよりなる群から選択される少なくとも１種の水溶性ポリマー；および次亜リン酸、亜リン酸、次二リン酸、二亜リン酸、次リン酸、ピロ亜リン酸、およびこれらの酸の塩よりなる群から選択される少なくとも１種の安定剤を含む組成物。
【請求項２】該少なくとも１種の安定剤が、次亜リン酸、亜リン酸、次二リン酸、二亜リン酸、次リン酸、ピロ亜リン酸、次亜リン酸ナトリウム、次亜リン酸カリウム、次亜リン酸リチウム、次亜リン酸カルシウム、次亜リン酸マンガン、次亜リン酸マグネシウム、次亜リン酸アンモニウム、亜リン酸ナトリウム、亜リン酸カリウム、亜リン酸リチウム、亜リン酸カルシウム、亜リン酸マンガン、亜リン酸マグネシウム、および亜リン酸アンモニウムよりなる群から選択される、請求項１〜３のいずれか１項に記載の組成物。
【請求項３】該少なくとも１種の水溶性ポリマーが、該少なくとも１種の水溶性ポリマーと該少なくとも１種の安定剤との合計重量に基づいて、少なくとも約２５％の量で存在する、請求項１又は２に記載の組成物。
【請求項４】該少なくとも一種の安定剤が、該少なくとも１種の水溶性ポリマーと該少なくとも１種の安定剤との合計重量に基づいて、少なくとも約０．０１％の量で存在する、請求項１〜３のいずれかに記載の組成物。
【請求項５】該少なくとも一種の安定剤が、該少なくとも１種の水溶性ポリマーと該少なくとも１種の安定剤との合計重量に基づいて、約７５％以下の量で存在する、請求項１〜４のいずれかに記載の組成物。
【請求項６】該少なくとも１種の水溶性ポリマーが、ポリアミドアミン−エピクロロヒドリン樹脂、ポリアミン−エピクロロヒドリン樹脂およびポリビニルアルコールから選択される、請求項１に記載の組成物。
【請求項７】該少なくとも１種の水溶性ポリマーが、該少なくとも１種の水溶性ポリマーと該少なくとも１種の安定剤との合計重量に基づいて、少なくとも約２５％の量で存在する、請求項６に記載の組成物。
【請求項８】該少なくとも１種の安定剤が、該少なくとも１種の水溶性ポリマーと該少なくとも１種の安定剤との合計重量に基づいて、約０．０１〜約７５％の量で存在する、請求項７に記載の組成物。
【請求項９】該少なくとも１種の安定剤が、該少なくとも１種の水溶性ポリマーと該少なくとも１種の安定剤との合計重量に基づいて、約１５％以下の量で存在する、請求項８に記載の組成物。
【請求項１０】該少なくとも１種の水溶性ポリマーが、ポリアミドアミン−エピクロロヒドリン樹脂を含む、請求項７〜９のいずれか１項に記載の組成物。
【請求項１１】該少なくとも１種の水溶性ポリマーが、ポリアミドアミン−エピクロロヒドリン樹脂を含む、請求項７〜９のいずれか１項に記載の組成物。
【請求項１２】該少なくとも１種の水溶性ポリマーが、ポリビニルアルコールを含む、請求項７〜９のいずれか１項に記載の組成物。
【請求項１３】請求項１〜１２のいずれかに記載の組成物を含むクレーピング接着剤をその表面に含む、繊維ウェブのための乾燥表面。
【請求項１４】剥離剤、界面活性剤、分散剤、塩基および酸、並びに次亜リン酸、亜リン酸、次二リン酸、二亜リン酸、次リン酸、ピロ亜リン酸、およびそれらの塩の少なくとも１種をさらに含む、請求項１３に記載の乾燥表面。
【請求項１５】クレープされた紙の形成方法であって、
（ａ）請求項１〜１２のいずれか１項に記載の組成物の少なくとも１種の水溶性ポリマーおよび安定剤を別々にまたは一緒に、繊維ウェブのための乾燥表面に施すこと；
（ｂ）繊維ウェブを乾燥表面に対してプレスして、繊維ウェブを乾燥表面に接着すること；および
（ｃ）繊維ウェブを乾燥表面からクレーピングデバイスで取り除いて繊維ウェブをクレープさせることを含む方法。
【請求項１６】少なくとも１種の水溶性ポリマーおよび安定剤を一緒に、繊維ウェブのための乾燥表面に施す、請求項１５に記載の方法。
【請求項１７】クレープされた紙の形成方法であって、
（ａ）繊維ウェブを請求項１３に記載の乾燥表面に対してプレスして、繊維ウェブを乾燥表面に接着すること；および
（ｂ）繊維ウェブを乾燥表面からクレーピングデバイスで取り除いて繊維ウェブをクレープさせることを含む方法。
【手続補正２】
【補正対象書類名】明細書
【補正対象項目名】００３２
【補正方法】変更
【補正の内容】
【００３２】
1ASTM法D−１９２５−７０、プラスチック黄色度指数標準試験法により測定
［本発明の態様］
［１］ポリアミドアミン−エピクロロヒドリン樹脂、ポリアミン−エピクロロヒドリン樹脂、ポリビニルアルコール、ポリビニルアミン、ポリエチレンイミン、ポリアクリルアミド、ポリメタクリルアミド、ポリ（アクリル酸）、ポリ（メタクルル酸）、ポリ（ヒドロキシエチルアクリレート）、ポリ（ヒドロキシエチルメタクリレート、ポリ（Ｎ−ビニルピロリジノン）、ポリ（エチレンオキシド）、ヒドロキシエチルセルロース、ヒドロキシプロピルセルロース、グアーガム、デンプン、寒天、キトサン、アルギン酸、カルボキシメチルセルロース、高度に分枝状のポリアミドアミンおよびエピクロロヒドリンとのそれらの反応生成物、並びにシリル結合ポリアミドアミンよりなる群から選択される少なくとも１種の水溶性ポリマー；および次亜リン酸、亜リン酸、次二リン酸、二亜リン酸、次リン酸、ピロ亜リン酸、およびこれらの酸の塩よりなる群から選択される少なくとも１種の安定剤を含む組成物。
［２］水溶性ポリマーが、ポリアミドアミン−エピクロロヒドリン樹脂、ポリアミン−エピクロロヒドリン樹脂、高度に分枝状のポミドアドアミン、シリル化ポリアミドアミン、ポリビニルアルコール、ポリビニルアミン、ポリエチレンイミン、アクリルアミドポリマー、ポリ（Ｎ−ビニルピロリジノン）、ヒドロキシエチルセルロースおよびカルボキシメチルセルロースよりなる群から選択される、１に記載の組成物。
［３］水溶性ポリマーが、ポリアミドアミン−エピクロロヒドリン樹脂、ポリアミン−エピクロロヒドリン樹脂、高度に分枝状のポミドアミン、シリル化ポリアミドアミン、ポリビニルアルコール、ポリビニルアミンおよびポリエチレンイミンよりなる群から選択される、１に記載の組成物。
［４］安定剤が、次亜リン酸、亜リン酸、次二リン酸、二亜リン酸、次リン酸、ピロ亜リン酸、次亜リン酸ナトリウム、次亜リン酸カリウム、次亜リン酸リチウム、次亜リン酸カルシウム、次亜リン酸マンガン、次亜リン酸マグネシウム、次亜リン酸アンモニウム、亜リン酸ナトリウム、亜リン酸カリウム、亜リン酸リチウム、亜リン酸カルシウム、亜リン酸マンガン、亜リン酸マグネシウム、および亜リン酸アンモニウムよりなる群から選択される、１〜３のいずれか１項に記載の組成物。
［５］安定剤が、次亜リン酸、亜リン酸、次亜リン酸ナトリウム、次亜リン酸カリウム、次亜リン酸マンガン、次亜リン酸アンモニウム、亜リン酸ナトリウム、亜リン酸カリウム、および亜リン酸アンモニウムよりなる群から選択される、４に記載の組成物。
［６］水溶性ポリマーが、組成物の重量に基づいて、少なくとも約２５％の量で存在する、１〜５に記載の組成物。
［７］水溶性ポリマーが、組成物の重量に基づいて、少なくとも約５０％の量で存在する、６に記載の組成物。
［８］水溶性ポリマーが、組成物の重量に基づいて、約９９．９９％以下の量で存在する、１〜７に記載の組成物。
［９］水溶性ポリマーが、組成物の重量に基づいて、約９９．７５％以下の量で存在する、８に記載の組成物。
［１０］安定剤が、組成物の重量に基づいて、少なくとも約０．０１％の量で存在する、１〜９に記載の組成物。
［１１］安定剤が、少なくとも約０．２５％の量で存在する、１０に記載の組成物。
［１２］安定剤が、組成物の重量に基づいて、約７５％以下の量で存在する、１〜１１に記載の組成物。
［１３］１〜１２に記載の組成物を含むクレーピング接着剤。
［１４］剥離剤、界面活性剤、分散剤、塩基および酸、並びに次亜リン酸、亜リン酸、次二リン酸、二亜リン酸、次リン酸、ピロ亜リン酸、およびそれらの塩以外の塩の少なくとも１種をさらに含む、１３に記載の組成物を含むクレーピング接着剤。
［１５］クレープされた紙の形成方法であって、
（ａ）１〜１２のいずれか１項に記載の水溶性ポリマーおよび安定剤を別々にまたは一緒に、繊維ウェブのための乾燥表面に施すこと；
（ｂ）繊維ウェブを乾燥表面に対してプレスして、繊維ウェブを乾燥表面に接着すること；および
（ｃ）繊維ウェブを乾燥表面からクレーピングデバイスで取り除いて繊維ウェブをクレープさせることを含む方法。
［１６］クレープされた紙の形成方法であって、
（ａ）１３に記載のクレーピング接着剤を乾燥表面に塗布すること；
（ｂ）繊維ウェブを乾燥表面に対してプレスして、繊維ウェブを乾燥表面に接着すること；および
（ｃ）繊維ウェブを乾燥表面からクレーピングデバイスで取り除いて繊維ウェブをクレープさせることを含む方法。
［１７］クレーピング接着剤組成物が、剥離剤、界面活性剤、分散剤、塩基および酸、並びに次亜リン酸、亜リン酸、次二リン酸、二亜リン酸、次リン酸、ピロ亜リン酸、およびそれらの塩以外の塩の少なくとも１種をさらに含む、１６に記載の方法。